(57)【要約】【課題】  移動機間のセッションの確立において送受信される信号数をより少なくすると共により早くセッションを確立する。【解決手段】  移動体通信網Ｎ上において発信端末４０ａと着信端末４０ｂとの間のセッションを確立するＧＧＳＮ１０は、発信端末４０ａから、着信端末４０ｂの電話番号を含むセッション確立要求を受信する受信部１１と、セッション確立要求に基づいて発信端末４０ａに対してＩＰアドレスを設定すると共に、着信端末４０ｂの電話番号に基づいて着信端末４０ｂに対してＩＰアドレスを設定するＩＰアドレス設定部１２と、発信端末４０ａ及び着信端末４０ｂ間のセッションを確立するセッション確立部１３と、セッションが確立された旨、及び発信端末４０ａ及び着信端末４０ｂに対して設定されたＩＰアドレスを合わせて、発信端末４０ａ及び着信端末４０ｂに通知する通知部１４とを備える。【選択図】  図１
2010045562.tif 000002
【特許請求の範囲】
【請求項１】
移動体通信網上において、第１の移動機と第２の移動機との間のセッションを確立する通信装置であって、
前記第１の移動機から、前記第２の移動機を特定する情報を含むセッション確立要求を受信する受信手段と、
前記受信手段により受信されたセッション確立要求に基づいて前記第１の移動機に対してＩＰアドレスを設定すると共に、当該セッション確立要求に含まれる前記第２の移動機を特定する情報に基づいて当該第２の移動機に対してＩＰアドレスを設定するＩＰアドレス設定手段と、
前記ＩＰアドレス設定手段によりＩＰアドレスが設定される前記第１及び前記第２の移動機の間のセッションを確立するセッション確立手段と、
前記セッション確立手段により前記セッションが確立された旨、及び前記ＩＰアドレス設定手段により前記第１及び前記第２の移動機に対して設定されたＩＰアドレスを合わせて、前記第１及び前記第２の移動機に通知する通知手段と、
を備える通信装置。
【請求項２】
移動体通信網上において確立された、別の移動機との間のセッションを用いて通信を行う移動機と、当該移動体通信網上において、第１の移動機と第２の移動機との間のセッションを確立する通信装置とを含む移動通信システムであって、
前記移動機は、前記別のセッションの確立対象となる移動機を特定する情報を含むセッション確立要求を前記通信装置に送信する送信手段を備え、
前記通信装置は、
前記第１の移動機から、前記第２の移動機を特定する情報を含むセッション確立要求を受信する受信手段と、
前記受信手段により受信されたセッション確立要求に基づいて前記第１の移動機に対してＩＰアドレスを設定すると共に、当該セッション確立要求に含まれる前記第２の移動機を特定する情報に基づいて当該第２の移動機に対してＩＰアドレスを設定するＩＰアドレス設定手段と、
前記ＩＰアドレス設定手段によりＩＰアドレスが設定される前記第１及び前記第２の移動機の間のセッションを確立するセッション確立手段と、
前記セッション確立手段により前記セッションが確立された旨、及び前記ＩＰアドレス設定手段により前記第１及び前記第２の移動機に対して設定されたＩＰアドレスを合わせて、前記第１及び前記第２の移動機に通知する通知手段と、
を備えることを特徴とする移動通信システム。
【発明の詳細な説明】
【技術分野】
【０００１】
本発明は、移動体通信網上において、移動機間のセッションを確立する通信装置、及び当該通信装置を含む移動通信システムに関する。
【背景技術】
【０００２】
特許文献１に記載されているように、ＳＩＰ（Session Initiation Protocol）等のプロトコルが用いられて、無線端末間にＩＰ（Internet Protocol）によるセッションを確立する技術が知られている。特許文献１では、発信端末が保持した着信端末のＩＰアドレスを用いて、効率的にセッションを確立することとしている。
【特許文献１】特開２００４−１２８７９３号公報
【発明の開示】
【発明が解決しようとする課題】
【０００３】
しかしながら、移動体通信網を介して移動機間にセッションが確立される場合には、セッションの確立の際に各移動機に対してＩＰアドレスが払い出される（設定される）適用形態もあり、この形態では特許文献１に記載されているように予め端末に相手端末のＩＰアドレスを保持しておくことはできない。
【０００４】
ＳＩＰによって移動体通信網を介したセッションが確立される際、移動体通信網と各移動機とは、以下の処理を行う。まず、移動体通信網は、発信端末からセッション確立要求を受信して、発信端末に対してＩＰアドレスを払い出して通知する。続いて、移動体通信網は、電話番号等の着信端末を特定する情報を発信端末からＩＮＶＩＴＥとして受信する。移動体通信網は、その情報を基に着信端末に対して着信通知を行う。移動体通信網は、着信通知に対する着信端末からの応答があった場合に、着信端末に対してＩＰアドレスを払い出して通知する。その後、移動体通信網は、発信端末と着信端末との間にセッションを確立して、セッションが確立されるとその旨を発信端末及び着信端末に通知する。
【０００５】
従来、上記のようなセッション確立処理が行われているが、ネットワークコストの観点から移動体通信網上の通信量を減少させるために、移動機間のセッションの確立において送受信される信号数をより少なくすることが求められる。また、ユーザビリティの観点からより早くセッションを確立することが求められる。
【０００６】
本願発明は、上記を鑑みてなされたものであり、移動機間のセッションの確立において送受信される信号数をより少なくすると共により早くセッションを確立することを可能とする通信装置及び移動通信システムを提供することを目的とする。
【課題を解決するための手段】
【０００７】
上記目的を達成するために、本発明に係る通信装置は、移動体通信網上において、第１の移動機と第２の移動機との間のセッションを確立する通信装置であって、第１の移動機から、第２の移動機を特定する情報を含むセッション確立要求を受信する受信手段と、受信手段により受信されたセッション確立要求に基づいて第１の移動機に対してＩＰアドレスを設定すると共に、当該セッション確立要求に含まれる第２の移動機を特定する情報に基づいて当該第２の移動機に対してＩＰアドレスを設定するＩＰアドレス設定手段と、ＩＰアドレス設定手段によりＩＰアドレスが設定される第１及び第２の移動機の間のセッションを確立するセッション確立手段と、セッション確立手段によりセッションが確立された旨、及びＩＰアドレス設定手段により第１及び第２の移動機に対して設定されたＩＰアドレスを合わせて、第１及び第２の移動機に通知する通知手段と、を備えることを特徴とする。
【０００８】
また、上記目的を達成するために、本発明に係る移動通信システムは、移動体通信網上において確立された、別の移動機との間のセッションを用いて通信を行う移動機と、当該移動体通信網上において、第１の移動機と第２の移動機との間のセッションを確立する通信装置とを含む移動通信システムであって、移動機は、別のセッションの確立対象となる移動機を特定する情報を含むセッション確立要求を通信装置に送信する送信手段を備え、通信装置は、第１の移動機から、第２の移動機を特定する情報を含むセッション確立要求を受信する受信手段と、受信手段により受信されたセッション確立要求に基づいて第１の移動機に対してＩＰアドレスを設定すると共に、当該セッション確立要求に含まれる第２の移動機を特定する情報に基づいて当該第２の移動機に対してＩＰアドレスを設定するＩＰアドレス設定手段と、ＩＰアドレス設定手段によりＩＰアドレスが設定される第１及び第２の移動機の間のセッションを確立するセッション確立手段と、セッション確立手段によりセッションが確立された旨、及びＩＰアドレス設定手段により第１及び第２の移動機に対して設定されたＩＰアドレスを合わせて、第１及び第２の移動機に通知する通知手段と、を備えることを特徴とする。
【０００９】
本発明に係る通信装置では、セッションを確立するための、発信側の移動機（第１の移動機）と着信側の移動機（第２の移動機）とへのＩＰアドレスの設定が、当該発信側の移動機のセッション確立要求に基づいて行われる。また、移動機に対する、ＩＰアドレス及びセッションの確立の通知が合わせて行われる。これにより、本発明によれば、移動機間のセッションの確立において送受信される信号数をより少なくすると共により早くセッションを確立することができる。
【発明の効果】
【００１０】
本発明に係る通信装置では、セッションを確立するための、発信側の移動機（第１の移動機）と着信側の移動機（第２の移動機）とへのＩＰアドレスの設定が、当該発信側の移動機のセッション確立要求に基づいて行われる。また、移動機に対する、ＩＰアドレス及びセッションの確立の通知が合わせて行われる。これにより、本発明によれば、移動機間のセッションの確立において送受信される信号数をより少なくすると共により早くセッションを確立することができる。
【発明を実施するための最良の形態】
【００１１】
以下、図面とともに本発明に係る通信装置及び移動通信システムの好適な実施形態について詳細に説明する。なお、図面の説明においては同一要素には同一符号を付し、重複する説明を省略する。
【００１２】
図１に本実施形態に係る移動通信システム１の構成を示す。移動通信システム１では、ＧＰＲＳ（General Packet Radio Service）によるデータ通信が行われる。移動通信システム１は、本実施形態に係る通信装置であるＧＧＳＮ（Gateway GPRS Support Node）１０を含んで構成されている。ＧＧＳＮ１０は、移動体通信網Ｎに含まれている。移動体通信網Ｎは、構成要素として、複数のＳＧＳＮ（Service GPRS Support Node）２０（ＳＧＳＮ２０ａ，２０ｂ）と、ＨＬＲ（Home Location Register）３０とを有している。移動通信システム１は、また、移動体通信網Ｎに接続して移動体通信を行う移動機４０（移動機４０ａ，４０ｂ）を含んで構成されている。移動機４０は、移動体通信網Ｎ上において確立された、別の移動機４０との間のセッションを用いてピアツーピア（Peer to Peer）通信を行う。
【００１３】
ＧＧＳＮ１０は、移動体通信網Ｎにおいて、インターネット等の他のデータ通信網とのゲートウェイ機能を有するノードである。ＧＧＳＮ１０は、通常、移動体通信網Ｎに複数含まれているが、本実施形態では１つのみ示す。ＧＧＳＮ１０は、ＳＧＳＮ２０ａ，２０ｂ及びＨＬＲ３０に接続されており、それらの装置との間で情報を送受信することができる。ＧＧＳＮ１０は、下記の機能により、２台の移動機４０間のセッションを確立する。図１に示すようにＧＧＳＮ１０は、受信部１１と、ＩＰアドレス設定部１２と、セッション確立部１３と、通知部１４とを備えて構成されている。
【００１４】
受信部１１は、移動機４０からセッション確立要求を受信する受信手段である。セッション確立要求は、ピアツーピア通信を行うための２台の移動機４０間のセッションを確立するための要求である。セッション確立要求には、セッションの確立先の相手移動機４０を特定する情報を含んでいる。受信部１１は、また、セッション確立要求から、当該セッション確立要求を送信した移動機４０を特定することができる。セッション確立処理のトリガとなるセッション確立要求を送信した移動機４０ａを発信端末４０ａ（第１の移動機）と呼び、当該セッション確立要求に含まれる情報により特定される相手移動機４０ｂを着信端末４０ｂ（第２の移動機）と呼ぶ。発信端末４０ａ及び着信端末４０ｂを特定する情報としては電話番号が用いられるが、その他の情報が用いられてもよい。
【００１５】
受信部１１は、セッション確立処理を行うため、セッション確立要求を受信するとその旨、並びに発信端末４０ａ及び着信端末４０ｂを特定する情報をＩＰアドレス設定部１２に出力する。
【００１６】
なお、ＧＧＳＮ１０では、セッション確立要求に着信端末４０ｂの電話番号が含まれていた場合に、本発明の機能によるセッションの確立処理を行い、セッション確立要求に着信端末４０ｂの電話番号が含まれていない場合に、ＳＩＰによる従来のセッション確立処理を行わせることができる。ＳＩＰによる従来のセッション確立処理とは、発信端末４０ａが、セッション確立要求に応じてＧＧＳＮ１０から払い出されたＩＰアドレスを用いて、移動体通信網Ｎ上のＣＳＣＦ（Call Session Control Function）等のノードにＩＮＶＩＴＥを送信する等して行なわれる処理である。その場合、受信部１１は、セッションの確立先の相手移動機４０ｂの電話番号がセッション確立要求に含まれているか否かを判断する。相手移動機４０ｂの電話番号がセッション確立要求に含まれている場合、受信部１１は、本発明に係る処理を行い、相手移動機４０の電話番号がセッション確立要求に含まれていない場合、発信端末４０ａに対してＩＰアドレスを払い出す等、従来と同様の処理を行う。
【００１７】
受信部１１は、各情報をＩＰアドレス設定部１２に出力する前に、着信端末４０ｂの在圏確認及び着信端末４０ｂへの着信通知を行う。具体的には、以下のように行われる。受信部１１は、発信端末４０ａからのセッション確立要求に含まれる着信端末４０ｂの電話番号を基に、ＨＬＲ３０に対して着信端末４０ｂの在圏問い合わせ要求を行う。受信部１１は、ＨＬＲ３０から、在圏問い合わせ要求に応じた在圏問い合わせ応答を受信する。在圏問い合わせ応答には、着信端末４０ｂが在圏しているＳＧＳＮ２０ｂを特定する情報（例えば、予めＳＧＳＮ２０に設けられている識別子）が含まれている。なお、ＳＧＳＮ２０ａを発信端末４０ａが在圏しているＳＧＳＮ２０であるとし、ＳＧＳＮ２０ｂを着信端末４０ｂが在圏しているＳＧＳＮ２０であるとする。受信部１１は、移動体通信網Ｎに着信端末４０ｂが在圏している場合に、以下の処理を行う。
【００１８】
受信部１１は、着信端末４０ｂが在圏しているＳＧＳＮ２０ｂを介して、着信端末４０ｂに対して着信通知を行う。受信部１１は、着信通知には、応答先（接続先）として自装置１０を特定する情報（例えば、予めＧＧＳＮ１０に設けられている識別子）を含める。受信部１１は、着信端末４０ｂから着信通知への応答としてセッション確立要求が送信されると、当該セッション確立要求を受信する。受信部１１は、着信端末４０ｂからのセッション確立要求を受信すると、各情報をＩＰアドレス設定部１２に出力する。
【００１９】
ＩＰアドレス設定部１２は、受信部１１からセッション確立要求を受信した旨が通知されると、同時に受信部１１から入力された発信端末４０ａ及び着信端末４０ｂの電話番号に基づいて、発信端末４０ａ及び着信端末４０ｂに対してＩＰアドレスを設定するＩＰアドレス設定手段である。それぞれのＩＰアドレスの設定処理自体は、従来と同様に行われる。着信端末４０ｂへのＩＰアドレスの設定は、上記のように、着信端末４０ｂに対して着信通知が行われて当該着信端末４０ｂからセッション確立要求が受信されてから行われる。
【００２０】
発信端末４０ａ及び着信端末４０ｂへのＩＰアドレスの設定は、同じタイミングで行われる。なお、厳密に同じタイミングで行われなくてもよくほぼ同じタイミングで行われてもよい。例えば、発信端末４０ａへのＩＰアドレスの設定が行われた後に、着信端末４０ｂへのＩＰアドレスの設定が行われてもよい。また、必ずしも、同じタイミングでなくても、セッションを確立するまでに発信端末４０ａ及び着信端末４０ｂに対するＩＰアドレスの設定が行われていればよい。ＩＰアドレス設定部１２は、発信端末４０ａ及び着信端末４０ｂの双方からセッション確立要求を受信した旨をセッション確立部１３に、また、設定したＩＰアドレスをＩＰアドレス通知部１４に通知する。
【００２１】
セッション確立部１３は、ＩＰアドレス設定部１２によってＩＰアドレスが設定される発信端末４０ａ及び着信端末４０ｂの間のセッションを確立するセッション確立手段である。セッション確立部１３は、ＩＰアドレス設定部１２から入力された情報に基づいて、発信端末４０ａ及び着信端末４０ｂの双方からセッション確立要求を受信したことを判定し、セッション確立処理を行う。セッションの確立処理自体は、発信端末４０ａ及び着信端末４０ｂの電話番号等が用いられて従来と同様に行われる。なお、セッション確立部１３は、セッションの確立に必要な電話番号等を、必要に応じて、受信部１１によって受信されたセッション確立要求等から取得する。セッション確立部１３は、セッションを確立するとその旨を通知部１４に通知する。
【００２２】
通知部１４は、セッションが確立されたことがセッション確立部１３から通知されると、その旨を、セッション確立応答を送信することによって、発信端末４０ａ及び着信端末４０ｂに通知する通知手段である。セッション確立応答には、ＩＰアドレス設定部１２によって割り当てられた発信端末４０ａ及び着信端末４０ｂのＩＰアドレスが含められる。なお、ＩＰアドレスは必ずしもセッション確立応答に含まれていなくてもよく、セッションが確立された旨と併せて通知されればよい。
【００２３】
セッション確立要求やセッション確立応答の送受信等の本発明に係る情報の送受信は、例えば、ＧＧＳＮ１０とＳＧＳＮ２０との間ではＧＴＰ（GPRS Tunneling Protocol）等のプロトコルに従って、ＳＧＳＮ２０と移動機４０との間ではＳＭ（Session Management）等のプロトコルに従って、それぞれ行われる。即ち、本実施形態での情報の送受信は低レイヤでのプロトコルに従って行われる。以上が、ＧＧＳＮ１０の本実施形態に係る機能である。
【００２４】
続いて、図２に本実施形態に係るＧＧＳＮ１０のハードウェア構成を示す。図２に示すように、ＧＧＳＮ１０は、ＣＰＵ（Central Processing Unit）１０１、主記憶装置であるＲＡＭ（Random Access Memory）１０２及びＲＯＭ（Read Only Memory）１０３、通信を行うための通信モジュール１０４、並びにハードディスク等の補助記憶装置１０５等のハードウェアを備えるコンピュータとして構成される。これらの構成要素が動作することにより、上記のＧＧＳＮ１０の各機能が発揮される。
【００２５】
ＳＧＳＮ２０は、移動機４０の位置管理、セキュリティ管理やアクセス制御を行うノードである。ＳＧＳＮ２０に位置管理等される移動機４０を、ＳＧＳＮ２０に在圏している移動機４０と呼ぶ。ＳＧＳＮ２０は、基地局等を介して、移動機４０との間で情報の送受信を行う。また、各ＳＧＳＮ２０は、移動体通信網Ｎの構成に応じた所定のＧＧＳＮ１０に接続されており、当該ＧＧＳＮ１０との間で情報の送受信を行うことができる。即ち、ＳＧＳＮ２０は、ＧＧＳＮ１０と移動機４０との間で情報の中継を行う。
【００２６】
具体的には、ＳＳＧＮ２０は、移動機４０から送信されたセッション確立要求を受信して、ＧＧＳＮ１０に送信する。セッション確立要求に転送先としてのＧＧＳＮ１０を特定する情報が含まれていた場合には、ＳＳＧＮ２０は、当該情報に基づいてＧＧＳＮ１０を選択して、選択したＧＧＳＮ１０にセッション確立要求を送信する。また、ＳＳＧＮ２０は、ＧＧＳＮ１０から着信端末４０ｂに送信される着信通知を中継する。
【００２７】
ＨＬＲ３０は、移動機４０の電話番号や識別番号等のユーザ情報を管理する装置（データベース）である。ＨＬＲ３０は、移動機４０からの位置登録に基づく移動機４０の在圏している位置やＳＧＳＮ２０の情報を保持している。ＨＬＲ３０は、ＧＧＳＮ１０から着信端末４０ｂに係る在圏問い合わせ要求がされると、着信端末４０ｂがどのＳＧＳＮ２０に在圏しているかを示す情報を含む在圏問い合わせ応答をＧＧＳＮ１０に送信する。
【００２８】
移動機４０は、上述したように移動体通信機能を有する端末であり、ユーザによって携帯されて用いられる。移動機４０は、具体的には例えば、携帯電話機等に相当する。また、移動機４０は、携帯電話機と、携帯電話機に接続したパーソナルコンピュータなどの機器とをあわせたものでもよい。図１に示すように移動機４０は、送受信部４１と、ピアツーピア通信部４２とを備えて構成される。また、移動機４０は、上記の構成要素以外にも、移動体通信を行う機能等（例えば、移動体通信網Ｎに対して位置登録を行う機能）も備えている。
【００２９】
送受信部４１は、移動体通信網Ｎとの間で情報の送受信を行う手段である。送受信される情報は、ピアツーピア通信に係る制御信号や情報等である。更に具体的には、送受信部４１は、セッション確立要求をＧＧＳＮ１０に送信する送信手段である。移動機４０が発信端末４０ａになる場合、セッション確立要求の送信は、ユーザによる移動機４０に対する操作をトリガとして行われる。また、セッション確立要求には、セッションの確立対象となる通信相手の電話番号を含められる。電話番号については、セッション確立要求の送信を行うための操作がユーザによって行われる際に、移動機４０が備える電話帳等で予め記憶している電話番号の中から選択されてもよいし、直接入力されてもよい。
【００３０】
また、送受信部４１は、移動機４０が着信端末４０ｂになる場合、移動体通信網Ｎから着信通知を受信して、着信音や表示等によって着信がある旨をユーザに通知し、ユーザから当該着信に対する応答を受け付ける。着信がある旨のユーザへの通知は、通常の着信と同様に、何れの発信端末４０ａからの着信かの情報を併せて通知するのが好ましい。ユーザからの入力が、着信を許可する応答を示すものであった場合、セッション確立要求を移動体通信網Ｎに送信する。なお、送受信部４１は、上述したように着信通知にＧＧＳＮを特定する情報が含まれていた場合、送信するセッション確立応答に当該ＧＧＳＮ１０を特定する情報を含める。
【００３１】
また、送受信部４１は、移動体通信網Ｎ（のＧＧＳＮ１０）から送信されるセッション確立応答を受信する。送受信部４１は、セッション確立応答を受信した旨及びセッション確立応答に含まれる発信端末４０ａ及び着信端末４０ｂのＩＰアドレスをピアツーピア通信部４２に通知する。
【００３２】
ピアツーピア通信部４２は、送受信部４１からセッション確立応答を受信した旨を通知されると、同じく通知されたＩＰアドレスを用いて通信相手の移動機４０との間でピアツーピア通信を行う。具体的には、送信元及び送信先のＩＰアドレス（ソースＩＰアドレス及びデスティネーションＩＰアドレス）をそれぞれ自機４０及び通信相手の移動機４０のＩＰアドレスとしたパケットを、通信相手の移動機４０との間で送受信を行う。なお、移動体通信網Ｎへの情報の送受信自体は、送受信部４１を介して行われる。以上が、移動機４０の本実施形態に係る機能である。
【００３３】
続いて、図３に本実施形態に係る移動機４０のハードウェア構成を示す。図３に示すように、移動機４０は、ＣＰＵ４０１、ＲＡＭ４０２、ＲＯＭ４０３、操作部４０４、無線通信部４０５、ディスプレイ４０６及びアンテナ４０７等のハードウェアにより構成されている。また、移動機４０は、携帯電話機として機能するための音声処理部やスピーカ、マイクといった、図示しない構成要素を有している。これらの構成要素は、バスを介して各種信号の入出力が可能なように接続されている。これらの構成要素が動作することにより、上述した機能が発揮される。
【００３４】
引き続いて、図４のシーケンスを用いて、本実施形態の移動通信システム１で実行される処理を説明する。この処理は、発信端末４０ａから移動体通信網Ｎに対して、着信端末４０ｂとの間でピアツーピア通信を行うためのセッション確立要求が行われて、発信端末４０ａと着信端末４０ｂとの間にセッションが確立されてピアツーピア通信が行われるまでの処理である。
【００３５】
まず、ユーザの操作をトリガとして、発信端末４０ａの送受信部４１から、移動体通信網Ｎにセッション確立要求が送信される。このセッション確立要求は、着信端末４０ｂとのピアツーピア通信を要求するものであり、着信端末の電話番号ｂが含められる。送信されたセッション確立要求は、発信端末４０ａが在圏するＳＧＳＮ２０ａを介して、ＧＧＳＮ１０の受信部１１により受信される（Ｓ０１）。なお、発信端末４０ａが、着信端末４０ｂとＳＩＰ等による通信を要求する場合には、セッション確立要求には着信端末４０ｂの電話番号は含められない。
【００３６】
続いて、ＧＧＳＮ１０では、受信部１１によって、セッション確立要求に着信端末４０ｂの電話番号が含まれているか否かが判断される（Ｓ０２）。上述したように当該判断は、発信端末４０ａが本発明に係る処理によりピアツーピア通信を要求しているか否かの判断である。
【００３７】
セッション確立要求に着信端末４０ｂの電話番号が含まれていると判断されると、続いて、受信部１１からＨＬＲ３０に対して、着信端末４０ｂに関する在圏問い合わせ要求が行われる（Ｓ０３）。在圏問い合わせ要求には、セッション確立要求に含まれる着信端末４０ｂの電話番号ｂが、問い合わせ対象の移動機４０を特定する情報として含められる。
【００３８】
ＨＬＲ３０では、在圏問い合わせ要求が受信されて、当該要求に含まれる着信端末４０ｂの電話番号ｂに基づいて、自装置３０が記憶している、着信端末４０ｂが在圏しているＳＧＳＮを特定する情報＃２が取得される。当該ＳＧＳＮの情報＃２は、在圏問い合わせ要求に対する在圏問い合わせ応答に含められて、ＨＬＲ３０からＧＧＳＮ１０に送信される（Ｓ０４）。
【００３９】
ＧＧＳＮ１０では、受信部１１によって、在圏問い合わせ応答が受信される。続いて、受信部１１から、当該応答に含まれる情報＃２によって特定されるＳＧＳＮ２０ｂを経由して、着信端末４０ｂに対して着信通知が行われる（Ｓ０５，Ｓ０６）。この着信通知には、着信端末４０ｂからのセッション確立応答の送信対象として、自装置１０（ＧＧＳＮ１０）を特定する情報＃１が含められる。
【００４０】
着信端末４０ｂでは、送受信部４１によって着信通知が受信される。着信通知が受信されると、着信がある旨がユーザに通知される。続いて、送受信部４１によって、ユーザからの着信端末４０ｂに対する、着信を許可する応答の入力が受け付けられる（Ｓ０７）。当該応答の入力が受け付けられると、セッション確立要求が、着信端末４０ｂの送受信部４１から移動体通信網Ｎに送信される（Ｓ０８）。セッション確立要求には、着信通知に含まれていたセッション確立応答の送信対象となるＧＧＳＮ１０を特定する情報＃１が含められる。
【００４１】
続いて、移動体通信網Ｎでは、送信されたセッション確立応答が、ＳＧＳＮ２０ｂによって受信される。ＳＧＳＮ２０ｂでは、セッション確立要求に含まれる情報＃１から、当該セッション確立応答の送信対象となるＧＧＳＮ１０が選択される（Ｓ０９）。続いて、選択されたＧＧＳＮ１０に対して、着信端末４０ｂからのセッション確立要求がＳＧＳＮ２０ｂから送信される（Ｓ１０）。
【００４２】
続いて、ＧＧＳＮ１０では、送信されたセッション確立要求が、受信部１１によって受信される。受信部１１によってセッション確立要求が受信された旨及び受信部１１によって受信された情報は、ＩＰアドレス設定部１２に出力される。続いて、受信部１１から入力された情報に基づいて、ＩＰアドレス設定部１２によって、発信端末４０ａ及び着信端末４０ｂに対して、それぞれＩＰアドレスＡ，Ｂが設定される（Ｓ１１）。設定されたＩＰアドレスＡ，Ｂは、ＩＰアドレス設定部１２からＩＰアドレス通知部１４に出力される。また、ＩＰアドレスが設定され、発信端末４０ａ及び着信端末４０ｂの双方からセッション確立要求を受信した旨の情報が、ＩＰアドレス設定部１２からセッション確立部１３に出力される。
【００４３】
続いて、ＩＰアドレス設定部１２から入力された情報に基づいて、セッション確立部１３によって、発信端末４０ａと着信端末４０ｂとの間のセッションが確立される（Ｓ１２）。セッションが確立されるとその旨が、セッション確立部１３から通知部１４に通知される。
【００４４】
セッションが確立されたことがセッション確立部１３から通知部１４に通知され、また、割り当てられたＩＰアドレスがＩＰアドレス設定部１２から通知部１４に通知されると、同じタイミングあるいは順次、通知部１４から発信端末４０ａ及び着信端末４０ｂにセッション確立応答が送信される（Ｓ１３，Ｓ１４）。それぞれの移動機４０ａ，４０ｂに送信されるセッション確立応答には、発信端末４０ａに設定されたＩＰアドレスＡ、及び着信端末４０ｂに設定されたＩＰアドレスＢが含められる。
【００４５】
続いて、それぞれの移動機４０ａ，４０ｂでは、送受信部４１によって、セッション確立応答が受信される。セッション確立応答が受信された旨、及びセッション確立応答に含まれる発信端末４０ａ及び着信端末４０ｂのＩＰアドレスＡ，Ｂがピアツーピア通信部４２に通知される。上記のように、発信端末４０ａ及び着信端末４０ｂは、セッション確立応答が受信されると、確立されたセッションを用いてピアツーピア通信を行うことができる。例えば、発信端末４０ａから着信端末４０ｂに、ピアツーピア通信によるパケットが送信される（Ｓ１５）。ここで、パケットに設定される送信元及び送信先のＩＰアドレスは、それぞれ発信端末４０ａ及び着信端末４０ｂに設定されるＩＰアドレスＡ，Ｂとされる。
【００４６】
上述したように、本実施形態では、セッションを確立するための発信端末４０ａ及び着信端末４０ｂへのＩＰアドレスの設定が、発信端末４０ａのセッション確立要求に基づいて行われる。また、発信端末４０ａ及び着信端末４０ｂに対する、ＩＰアドレス及びセッションの確立の通知が合わせて行われる。これにより、本実施形態によれば、動的にＩＰアドレスを設定して行われる、移動機４０間のセッションの確立において送受信される信号数をより少なくすると共により早くセッションを確立することができる。
【００４７】
ＳＩＰによる方式によれば、ＧＧＳＮとの間のＧＰＲＳの通信路（ＧＰＲＳセッション）の確立に、発信側の移動機と移動体通信網との間、及び着信側の移動機と移動体通信網との間で情報の送受信が、それぞれ１往復、及び１．５往復（０．５往復は着信の通知）を要する。また、ＩＭＳレジストレーションに発信側、着信側共に１往復を要する。また、ＩＮＶＩＴＥ（ＩＭＳレベルの呼接続）に発信側、着信側共に１往復を要する。上記のように、ＳＩＰによる方式によれば、移動機間でセッションを利用した通信ができるようになるまでに、発信側、着信側共でそれぞれ３往復及び３．５往復の情報の送受信が必要になる。更に、ＳＩＰによる方式によれば、通信の管理にＣＳＣＦが関与する必要がある。また、上記のように、ＳＩＰ等の従来の方式では、本実施形態のようにＩＰアドレスを発信側の移動機と着信側の移動機とに対して、同じタイミングで設定して、併せて通知することは行われていない。
【００４８】
一方、本実施形態による方法では、移動機４０ａ，４０ｂ間でセッションを利用した通信ができるようになるまでに、上述したように発信端末４０ａと移動体通信網Ｎとの間、及び着信端末４０ｂと移動体通信網Ｎとの間で情報の送受信が、それぞれ１往復、及び１．５往復（０．５往復は着信の通知）で済む。このように無線区間を往復する情報数（信号数）を減らすことにより、大幅な接続時間短縮が可能になる。
【００４９】
また、本実施形態では、ＧＰＲＳセッションとセッション上のユーザデータが流れる経路が同一であり無駄な経路がない。これにより、ＧＰＲＳセッションの経路上に障害が発生した場合、ユーザデータの疎通にも支障がでる可能性が高く、監視の効率性が高い。
【００５０】
また、本実施形態のように、ＧＧＳＮ１０がセッション確立要求のパラメータを判定し、通信相手の電話番号が設定されている場合のみピアツーピア通信の処理を行い、それ以外の場合は従来通り外部サーバ（ＣＳＣＦ）に接続するセッション確立手順を行うことが好ましい。これにより、従来のＧＧＳＮへの軽微な処理変更で本発明に係るピアツーピア通信の確立の制御が可能になり、ＣＳＣＦ等のシステムに変更を加える必要がなくなる。
【００５１】
また、本実施形態のように、着信端末４０ｂへの着信通知の信号中に、セッション確立時に接続すべきＧＧＳＮを特定する情報を設定することが好ましい。これにより、着信端末４０ｂからのセッション確立時に在圏ＳＧＳＮ２０ｂから最適経路のＧＧＳＮ１０を選択することが可能になる。また、ユーザデータの経路とＧＰＲＳセッションの経路が同一になるため、経路の障害監視が容易になる。
【００５２】
また、本実施形態のように、ＧＧＳＮ１０における、ＩＰアドレスの設定移行の処理は、着信端末４０ｂからのセッション確立要求を受信してから行うことが好ましい。これにより無駄な処理を減じさせることができ、効率的な処理が可能になる。
【図面の簡単な説明】
【００５３】
【図１】本発明の実施形態に係る通信装置であるＧＧＳＮ、及び当該ＧＧＳＮを含む移動通信システムの構成を示す図である。
【図２】本発明の実施形態に係るＧＧＳＮのハードウェア構成を示す図である。
【図３】本発明の実施形態に係る移動機のハードウェア構成を示す図である。
【図４】本発明の実施形態に係る移動通信システムで実行される処理を示すシーケンス図である。
【符号の説明】
【００５４】
１…移動通信システム、１０…ＧＧＳＮ、１１…受信部、１２…ＩＰアドレス設定部、１３…セッション確立部、１４…通知部、２０…ＳＧＳＮ、３０…ＨＬＲ、４０…移動機（４０ａ…発信端末、４０ｂ…着信端末）、４１…送受信部、
４１       送受信部、４２…ピアツーピア通信部、１０１…ＣＰＵ、１０２…ＲＡＭ、１０３…ＲＯＭ、１０４…通信モジュール、１０５…補助記憶装置、４０１…ＣＰＵ、４０２…ＲＡＭ、４０３…ＲＯＭ、４０４…操作部、４０５…無線通信部、４０６…ディスプレイ、４０７…アンテナ、Ｎ…移動体通信網。
【図１】
2010045562.tif 000003
【図２】
2010045562.tif 000004
【図３】
2010045562.tif 000005
【図４】
2010045562.tif 000006